(57)【特許請求の範囲】
【請求項１】
飼料、肥料等の内容物を収容する内袋と該内袋を内部に収納する外袋とを備えて成る内袋入り紙袋であって、
前記内袋の収容口近傍域にＺ状に折返したＺ状折り曲げ部を形成し、
前記内袋のＺ状折り曲げ部と前記外袋の裏面体との間に第１接合部を設け互いに接合するとともに、前記内袋におけるＺ状折り曲げ部に近接した下方部と、該下方部に対し前記Ｚ状折り曲げ部が形成された側に位置する前記外袋の表面体との間に第３接合部を設け互いに接合したことを特徴とする内袋入り紙袋。
【請求項２】
前記第１接合部は、前記Ｚ状折り曲げ部の上部に配置される
ことを特徴とする請求項１に記載の内袋入り紙袋。
【請求項３】
前記第１接合部、および第３接合部は、それぞれ剥離性のある接合剤を用いる
ことを特徴とする請求項１又は請求項２に記載の内袋入り紙袋。
【発明の詳細な説明】
【技術分野】
【０００１】
本発明は、内袋入り紙袋に関し、より詳細には底端側をシールして袋状にした内袋を紙製筒状体の外袋の内部に収納した内袋入り紙袋に関する。
【背景技術】
【０００２】
飼料、食品用着色剤、肥料等を消費者に提供するために輸送、保管等に用いられる内袋入り紙袋については、先行技術文献として文献公知発明である下記の特許文献１、２が開示されている。
【０００３】
特許文献１によれば、従来、図５(ａ)に示すように、内容物を合成樹脂膜最内筒１０２内に収容する作業上の必要から、合成樹脂膜最内筒１０２が外層紙筒１０１よりも長い防湿袋１００がある。
【０００４】
しかしながら、両筒１０１、１０２の長さが相違するため両筒１０１、１０２を同時に製筒できなかった。
【０００５】
この製筒上の問題を解決するために考案された特許文献１の防湿袋製造装置により、図５(ｂ)に示すような防湿袋２００が製造されている。
【０００６】
この防湿袋２００は、紙筒２０１の最内層に合成樹脂膜筒２０２を内装し、紙筒２０１の内部において合成樹脂膜筒２０２を紙筒２０１の端部切断縁２０３と平行に折り曲げて襞２０４を形成し、図５(ｂ)のＡ−Ａ線断面拡大図の図５(ｃ)に示すように、合成樹脂膜筒２０２と紙筒２０１との間に接着糊２１２を施して、襞２０４を防湿袋２００内の所定位置に配置している。
【０００７】
一方、特許文献２の紛粒体充填袋(防湿袋３０７)によれば、その正面図の図６(ａ)、および図６(ａ)のＢ−Ｂ線断面拡大図の図６(ｂ)に示すように、最内層薄膜袋３０１を、下部切断端から縫代３１２を残して合成樹脂薄膜筒の下部を加熱密封３０２して形成し、この最内層薄膜袋３０１の下部切断端を外層紙袋３０３の下端切断端に揃えて縫代３１２部を当紙３１３で覆いミシン縫い３１４し、その外側に漏洩防止片３１５を被覆接着して開袋底３０４を形成する。
【０００８】
そして、最内層薄膜袋３０１の開口端３０５が、外層紙袋３０３の投入口３０６の切断端に揃えられ、開口端３０５の外面を投入口３０６の内面に点糊３１６によって貼着して防湿袋３０７が形成されている。
【０００９】
この防湿袋３０７において、薄膜袋３０１の長さは、外層紙袋３０３の長さよりも長くされ、図６(ｂ)に示すように、薄膜袋３０１を、開袋底３０４の若干上方に充填物下降間隔ｔをもって上方へ折り曲げることで折曲部３０８を形成し、上下方向長さｌで折り曲がる上向横襞３１０を設け上部に折曲部３０９を形成し、薄膜袋３０１を防湿袋３０７内に収納している。
【特許文献１】実用新案公報  昭５２−２７１３８号
【特許文献２】特許出願公告  平０３−１４７０８号
【発明の開示】
【発明が解決しようとする課題】
【００１０】
ところで、上述の特許文献１の防湿袋２００においては、図５(ｂ)に示すように、合成樹脂膜筒２０２の襞２０４部が防湿袋２００の中間部に位置し、合成樹脂膜筒２０２の開口２０２ｉから離れ奥方に在るため、開口２０２ｉから、そのまま飼料、肥料等の内容物を入れると、内容物が襞２０４部で引っ掛かり内容物の収容作業に支障をきたしてしまう。
【００１１】
そのため、内容物の収容作業に際しては、合成樹脂膜筒２０２の開口２０２ｉ部を上方に引っ張り出し、図５(ａ)に示すように、合成樹脂膜筒２０２を外側に取り出して、開口２０２ｉ部を開け、さらに、収容作業中、その状態で保持する必要がある。
【００１２】
従って、防湿袋２００の収容作業を機械化する場合、  (１)合成樹脂膜筒２０２を外側に取り出す工程、(２)開口２０２ｉ部を開ける工程、(３)その状態で保持する工程  の３つの工程を遂行せねばならず、収容作業が複雑化するという問題がある。
【００１３】
一方、特許文献２の防湿袋３０７は、図６(ｂ)に示すように、薄膜袋３０１の折曲部３０８、３０９が、薄膜袋３０１の下部領域に位置するため、内容物の収容作業に際して、最内層薄膜袋３０１の開口端３０５を開ければ、内容物が折曲部３０８、３０９に引っ掛かることはないため、特許文献１のように薄膜袋３０１を外層紙袋３０３の外側に取出すことなく、内容物を収容することができる。(薄膜袋３０１に内容物ｂを収容した状態の防湿袋３０７の下部拡大図である図６(ｃ)参照)
しかしながら、防湿袋３０７において、最内層薄膜袋３０１内に内容物を収容した後、最内層薄膜袋３０１の開口端３０５(図６(ａ)、(ｂ)参照)を簡単に閉塞するため、当該薄膜袋３０１自体を玉結びする場合、その開口端３０５を外層紙袋３０３の外側に引きずり出す必要がある。
【００１４】
この際、最内層薄膜袋３０１内には既に内容物が収容されているため、内容物が折曲部３０８、３０９上に載置されその重量が折曲部３０８、３０９に加わり、最内層薄膜袋３０１を引き出しずらく、引き出し作業が困難である。
【００１５】
本発明は上記実状に鑑み、内容物の収容作業、および収容作業後の内袋の閉塞作業が容易に行え、作業性が良好な低コストの内袋入り紙袋の提供を目的とする。
【課題を解決するための手段】
【００１６】
上記目的を達成するべく、本発明の請求項１に関わる内袋入り紙袋は、飼料、肥料等の内容物を収容する内袋と該内袋を内部に収納する外袋とを備えて成る内袋入り紙袋であって、前記内袋の収容口近傍域にＺ状に折返したＺ状折り曲げ部を形成し、
前記内袋のＺ状折り曲げ部と前記外袋の裏面体との間に第１接合部を設け互いに接合するとともに、前記内袋におけるＺ状折り曲げ部に近接した下方部と、該下方部に対し前記Ｚ状折り曲げ部が形成された側に位置する前記外袋の表面体との間に第３接合部を設け互いに接合したことを特徴としている。
【００１７】
本発明の請求項２に関わる内袋入り紙袋は、請求項１に記載の内袋入り紙袋において、前記第１接合部は、前記Ｚ状折り曲げ部の上部に配置されることを特徴としている。
【００１８】
本発明の請求項３に関わる内袋入り紙袋は、請求項１又は請求項２に記載の内袋入り紙袋において、前記第１接合部、および第３接合部は、それぞれ剥離性のある接合剤を用いることを特徴としている。
【発明の効果】
【００１９】
以上、本発明に関わる内袋入り紙袋によれば、内袋の収容口近傍域にＺ状に折返したＺ状折り曲げ部を形成したので、内容物の収容作業に際して内袋を容易に開口でき、収容作業が円滑かつ容易に行える。
【００２０】
加えて、収容作業後、内袋の収容口をＺ状折り曲げ部を引き延ばし外袋から容易に引き出せるので、内袋の収容口の閉塞が容易に行える。
【００２１】
また、内袋のＺ状折り曲げ部と外袋の裏面体との間に接合部を設け互いに接合するとともに、内袋におけるＺ状折り曲げ部に近接した下方部と、該下方部に対し前記Ｚ状折り曲げ部が形成された側に位置する外袋の表面体との間に接合部を設け互いに接合したりすれば、内容物の収容作業に際して、外袋の開口部近傍域を外方に引っ張ることで、外袋に接合された内袋が外袋とともに容易に開口され、収容作業のさらなる円滑化、容易化が可能となる。
【００２２】
さらに、内袋のＺ状折り曲げ部と外袋の裏面体との間の接合部をＺ状折り曲げ部の上部に配置すれば、内袋の開口部近傍域での内袋と外袋の表面体との密着性、或いは、内袋と外袋の裏面体との密着性がより向上し、収容作業に際しての内袋の開口性のさらなる改善が図れる。
【００２３】
また、内袋と外袋との接合部に剥離性のある接合剤を用いれば、内袋に内容物を収容後、内袋を閉塞するに際して内袋を外袋内から引きずり出す場合に、内袋と外袋との接合が容易に剥離され内袋を円滑に引き出せ、内袋の閉塞作業が容易かつ円滑に行える。
【発明を実施するための最良の形態】
【００２４】
以下、本発明の実施形態について添付図面を参照して説明する。
【００２５】
本発明の参考例である内袋入り紙袋１は、図１に示すような外観を呈しており、例えば、長さ８００ｍｍ、幅４９０ｍｍの寸法の大きさがあり、２０ｋｇ前後の重量を有している。
【００２６】
この内袋入り紙袋１は、図１中のＣ方向から見た収容口部の縦断側面図の図２に示すように、外側梱包を担う外袋２と、該外袋２内に収納され飼料、食品用着色剤等の内容物ｂを収容する内袋３とを備え構成されている。
【００２７】
上記外袋２は、クラフト紙等から成り、図２に示すように、１〜３層に形成され、また、内袋３は、ポリエチレン等の合成樹脂製のフィルムとして形成されている。
【００２８】
この内袋入り紙袋１に内容物ｂが収容される前においては、図１のＣ方向の縦断側面概念図である図３(ａ)に示すように、内袋入り紙袋１における内袋３の収容口４は開口された状態にある。  なお、図３(ａ)においては、外袋２は、簡略化して一重として示している。
【００２９】
ここで、内袋３には、収容口４の近傍域に、収容口縁部４ｅに平行(図３(ａ)の紙面に垂直方向)にＺ状折り曲げ部Ｚを形成している。
【００３０】
なお、内袋３におけるＺ状折り曲げ部Ｚとは、内袋３をＺ状に折返して互いに重畳している部分を示している。
【００３１】
内袋３は、剥離性のある澱粉糊、化学糊等を使用した点糊ｎ11、ｎ12、ｎ2、ｎ3を用いて外袋２の内面に貼着され、Ｚ状折り曲げ部Ｚが外袋２内の所定位置に配置されている。
【００３２】
このＺ状の折り曲げ部Ｚの上縁Ｚ1から収容口縁部４ｅまでの寸法ｌ0は、短いほど好適であり、例えば、ｌ0の寸法が５０mmと１００mmとを比較した場合、５０mmの方が、内容物ｂを収容するに際して、外袋２の収容口部ｋの近傍域を吸着して矢印α、α方向に引っ張ることで、より円滑に開くことができる。
【００３３】
発明者等の知見によれば、ｌ0は１００mm(＜＝ｌ0)以内であることが好ましい。
【００３４】
また、収容口縁部４ｅから、内袋３と外袋２の表面体２1との間に施された点糊ｎ11までの寸法、および内袋３と外袋２の裏面体２2との間に施された点糊ｎ12までの寸法は、例えば、それぞれ５〜１０mmである。
【００３５】
図３(ｂ)は、図３(ａ)における内袋３を上下方向に延ばした状態のＤ方向矢視図を示している。
【００３６】
内袋３のＺ状折り曲げ部Ｚについて、内袋３を折返して互いに重畳されている領域を、それぞれ上方から第１領域Ａ、第２領域Ｂ、第３領域Ｃと称する。このＺ状折り曲げ部Ｚの上下方向の寸法ｌ1は、例えば、１００mmである。
【００３７】
内袋３におけるＺ状折り曲げ部Ｚの第１領域Ａには、その下部に２ヵ所の剥離性のある澱粉糊、化学糊等を使用した点糊ｎ3、ｎ3が外袋２の表面体２1間に施され、また、Ｚ状折り曲げ部Ｚの第３領域Ｃには、上部に２ヵ所の剥離性のある澱粉糊、化学糊等を使用した点糊ｎ2、ｎ2が外袋２の裏面体２2間に施されることにより、内袋３のＺ状折り曲げ部Ｚと外袋２とが接合されている。
【００３８】
ここで、内袋３のＺ状折り曲げ部Ｚと外袋２間に点糊ｎ2、ｎ2、ｎ3、ｎ3を施して内袋３を外袋２に接合した場合の方が、点糊を施さず内袋３を外袋２に接合しない場合よりも、内容物ｂの収容に際して、内袋３の開口が行い易いことが確認されている。
【００３９】
また、第１領域Ａの点糊ｎ3、ｎ3および第３領域Ｃの点糊ｎ2、ｎ2は、各々、１ヵ所よりも２ヵ所の方が、内袋３の開口にはより好適であることが確認されている。
【００４０】
図４は、図３に示した参考例の内袋３のＺ状折り曲げ部Ｚと外袋２間に施した点糊の位置関係を変更した本願発明の実施例を示している。
【００４１】
この実施例においては、上記参考例においての点糊ｎ2、ｎ3の位置関係以外の構成は、図１〜図３に示す参考例の内袋入り紙袋１の構成と同様であるから、点糊の位置関係についての説明のみ行い、その他の構成についての説明は省略する。
【００４２】
図４(ａ)に示す本発明の実施例の内袋入り紙袋１aは、図４(ａ)における内袋３aを上下方向に延ばした状態のＦ方向矢視図の図４(ｂ)に示すように、Ｚ状折り曲げ部Ｚaの第３領域Ｃの上部に２ヵ所の剥離性のある澱粉糊、化学糊等を使用した点糊(請求項１の第１接合部)ｎa2、ｎa2が外袋２aの裏面体２a2との間に施され、また、Ｚ状折り曲げ部Ｚaに隣接した下方の領域ＥにＺ状折り曲げ部Ｚaに近接して２ヵ所の剥離性のある澱粉糊、化学糊等を使用した点糊(請求項１の第３接合部)ｎa3、ｎa3が外袋２aの表面体２a1との間に施されることにより、内袋３aと外袋２aとが接合されている。
【００４３】
前述したように、外袋２ａの表面体と内袋３ａとの間に糊入れし、かつ、外袋２ａの裏面体と内袋３ａとの間に糊入れすることにより、内袋３ａの開口がより良好に行われることになる。
【００４４】
次に、前述の如く構成された参考例の内袋入り紙袋１内に、飼料、食品用着色剤等の内容物ｂを収容して、その開口部を閉塞する作業について説明する。
【００４５】
まず、図３(ａ)に示すように、外袋２の表面体２1と外袋２の裏面体２2とを吸着して矢印α方向に引っ張ることにより、内袋３のＺ状折り曲げ部Ｚは、２ヵ所の点糊ｎ3、ｎ3によって接合された外袋表面体２1とともに引かれるとともに、２ヵ所の点糊ｎ2、ｎ2によって接合された外袋裏面体２2とともに引かれ、速やかに開口され、内容物ｂを内袋３内に円滑に収容できる。
【００４６】
続いて、内袋３の収容口縁部４ｅ近傍部を引き出すことで、点糊ｎ2、ｎ2および点糊ｎ3、ｎ3が剥離性を有するため内袋３と外袋２とが容易に剥離されＺ状折り曲げ部Ｚが円滑に引き延ばされ、図２に示すように、手早く内袋３の上端部の開口部を玉結びして閉塞できる。  その後、図２に示すように、外袋２の収容口部ｋを、ミシン縫いｍして閉塞する。
【００４７】
なお、外袋２の収容口部ｋをミシン縫いｍすることなく、閉塞用の紙テープを貼着して閉塞してもよい。
【００４８】
本発明の実施例の内袋入り紙袋１ａの上記構成によれば、内袋入り紙袋１ａにおける内袋３ａの収容口４ａの近傍域に、内袋３ａを折返したＺ状折り曲げ部Ｚａを形成したので、内容物ｂを内袋３ａに収容するに際して、容易に内袋３ａを開口でき内容物ｂの収容作業が円滑に行える。
【００４９】
さらに、内袋３ａと外袋２ａ間の所定位置に点糊を施し内袋３ａと外袋２ａとを接合することにより、外袋２ａの収容口部ｋ近くの表面体２ａ1と裏面体２a2とを吸着し外方に引っ張ることにより、内袋３ａのＺ状折り曲げ部Ｚａがさらに円滑に開口され内袋３ａの開口がより円滑化される。
【００５０】
また、内袋３ａの収容口４ａの近傍域にＺ状折り曲げ部Ｚａが形成されるため、内容物ｂを内袋３ａに収容後、内袋３ａを引っ張りＺ状折り曲げ部Ｚａを引き延ばすことにより、内袋３ａの収容口４ａ近傍域を簡単に外袋２ａ外に引き出すことが可能であり、内袋３ａの開口部の閉塞を円滑かつ容易に行うことができる。
【００５１】
加えて、内袋と外袋とを接合する接合部に剥離性のある接合剤を使用するので、内袋に内容物を収容した後に開口部を玉結びして閉塞するに際し、内袋を外袋内から引き出す場合に内袋と外袋との接合部が容易に剥離され、作業性が良い。
【００５２】
従って、簡単な構成で、内容物ｂの収容作業が円滑かつ容易に行えるとともに、内容物の収容作業後の内袋３ａの開口部の閉塞作業が容易に行え、作業性が良好であり、低コストの内袋入り紙袋を実現できる。
【００５３】
なお、上述の実施例においては、内袋３ａの収容口縁部４ａｅを外袋２の上端縁部とを揃えた構成を例示したが、内袋３ａの収容口近傍域に内袋３ａを折返したＺ状折り曲げ部Ｚａを形成すれば、必ずしも、内袋３ａの収容口縁部４ａｅと上端縁部とを揃える必要はなく、内袋３ａの長さと外袋２ａの長さとを同じにしなくてもよい。
【産業上の利用可能性】
【００５４】
本発明は、飼料、食品用着色剤、肥料等を消費者に提供する際の輸送、保管等に使用される内袋入り紙袋等に有効活用できる。
【図面の簡単な説明】
【００５５】
【図１】参考例の内袋入り紙袋を示す斜視図。
【図２】図１の内袋入り紙袋の収容口部をＣ方向から見た縦断側面図。
【図３】(ａ)および(ｂ)は、図１の内袋入り紙袋において内容物の収容前の状態を示すＣ方向から見た縦断側面概念図、および(ａ)図における内袋を上下方向に延ばした状態を示すＤ方向矢視図。
【図４】(ａ)および(ｂ)は、本発明の実施例の内袋入り紙袋を示す縦断側面概念図、および(ａ)図における内袋を上下方向に延ばした状態を示すＦ方向矢視図。
【図５】(ａ)、(ｂ)および(ｃ)は、従来の防湿袋を示す正面図、従来の特許文献１に開示された防湿袋を示す正面図、および(ｂ)図のＡ−Ａ線断面拡大図。
【図６】(ａ)、(ｂ)および(ｃ)は、従来の特許文献２における防湿袋を示す正面図、(ａ)図のＢ−Ｂ線断面拡大図、および(ｂ)図の薄膜袋に内容物を収容した状態の防湿袋を示す下部拡大図。
【符号の説明】
【００５６】
１a…内袋入り紙袋、
２a…外袋、
２a1…外袋の表面体、
２a2…外袋の裏面体、
３a…内袋、
４a…内袋の収容口、
ｎa2…点糊(請求項１の第１接合部)、
ｎa3…点糊(請求項１の第３接合部)、
ｂ…内容物、
Ｚa…Ｚ状折り曲げ部。
【図１】
0004723206.tif 000002
【図２】
0004723206.tif 000003
【図３】
0004723206.tif 000004
【図４】
0004723206.tif 000005
【図５】
0004723206.tif 000006
【図６】
0004723206.tif 000007